【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
腐食、化学物質、又は放射性物質を警告する表面上の塗料であって、
当該塗料は前記表面と操作可能なように接続し、かつ
当該塗料によって保持される示唆物質は、前記腐食、化学物質、又は放射性物質の存在を示唆する、
塗料。
【請求項２】
前記示唆物質は、前記腐食、化学物質、又は放射性物質の存在を示唆する物質である、請求項1に記載の塗料。
【請求項３】
前記示唆物質は、化学的に敏感な添加物を当該塗料に供する物質で、
前記物質は、pHに敏感な示唆物質、歪みに敏感な示唆物質、又は金属の重大な損失若しくは移動を示唆する能力を有する放射性トレーサーを供する、
請求項1に記載の塗料。
【請求項４】
前記示唆物質は、pH又は塩化物に敏感である蛍光分子及び粒子を有し、
前記示唆物質はゼオライトケージ内部に半導体クラスタを有し、
前記のゼオライトケージ内部の半導体クラスタは分子サイズに基づいて識別を行い、
前記示唆物質は、電気化学電位及び酸化状態に敏感な電気活性な酸化還元対を有し、又は
前記示唆物質は、腐食による局所電位及び電流に敏感な導電性ポリマーのネットワークを有する、
請求項1に記載の塗料。
【請求項５】
前記示唆物質は、応力及び歪みに敏感な異方性の光学又は電気的特性を有する誘電物質を有し、
前記示唆物質は、金属の溶解及び移動に敏感な放射性同位元素トレーサーを有し、
前記示唆物質はシンチレーション物質を有し、
前記示唆物質は熱ルミネッセンス物質を有し、又は
前記示唆物質は、溶解した金属のマイグレーションに敏感な放射性同位元素トレーサーの移動を画像化するフォトルミネッセンス色素を有する、
請求項1に記載の塗料。
【請求項６】
前記示唆物質はシンチレーション物質を有し、
前記示唆物質は、α線、β線、又はγ線によって照射されたときに、発光する結晶性色素を有し、
前記示唆物質は、α線によって照射されたときに、発光する結晶性色素を有し、
前記示唆物質は、β線によって照射されたときに、発光する結晶性色素を有し、かつ
前記示唆物質は、γ線によって照射されたときに、発光する結晶性色素を有する、
請求項1に記載の塗料。
【請求項７】
前記示唆物質は、全体的な腐食、局所的及び外界の影響によるクラック、又は化学物質、又は神経ガス、又は放射性物質に敏感な1種類以上の物質を有する、請求項1に記載の塗料。
【請求項８】
前記示唆物質は、α粒子放射体、β粒子放射体、又はγ線放射体、又はX線放射体に敏感な1種類以上の物質を有し、
前記示唆物質は、放出される光子に対して透明な有機結合剤を有し、又は
前記示唆物質は前記色素粒子と一致する屈折率を有する有機結合剤を有することで、検出器の開口から遠ざかる放出体の散乱による信号損失を最小にする、
請求項1に記載の塗料。
【請求項９】
前記示唆物質は、α粒子又はγ線に敏感な無機シンチレーション色素を有し、
前記示唆物質は、β粒子に敏感な有機シンチレーション色素を有し、
前記示唆物質は、α線、β線、又はγ線に敏感な熱ルミネッセント色素を有し、又は
前記示唆物質は、α線、β線、又はγ線に敏感なフォトルミネッセント色素を有する、
請求項1に記載の塗料。
【請求項１０】
化学物質又は放射性物質を警告するシステムを有する車両であって、
当該車両と操作可能なように接続する塗料、及び
前記腐食、化学物質、又は放射性物質の存在を示唆する、当該塗料によって保持される示唆物質、
を有する車両。
【請求項１１】
前記示唆物質はシンチレーション物質を有し、
前記示唆物質は、α線、β線、又はγ線によって照射されたときに、発光する結晶性色素を有し、
前記示唆物質は、α線によって照射されたときに、発光する結晶性色素を有し、
前記示唆物質は、β線によって照射されたときに、発光する結晶性色素を有し、かつ
前記示唆物質は、γ線によって照射されたときに、発光する結晶性色素を有する、
請求項10に記載の車両。
【請求項１２】
前記示唆物質は、化学物質又は神経ガスに敏感な物質である、請求項11に記載の車両。
【請求項１３】
本発明は、腐食、化学物質、又は放射性物質の警告方法であって、
示唆物質で表面を塗装する塗装工程、及び
前記腐食、化学物質、又は放射性物質を示す前記表面を観察する観察工程、
を有する方法。
【請求項１４】
前記塗装工程が、化学的に敏感な添加物を供する示唆物質で表面を塗装する工程を有し、
前記化学的に敏感な添加物は、pHに敏感な示唆物質、又は歪みに敏感なコーティング、又は金属の重大な損失/移動を示唆する能力を有する放射性トレーサー、を供する、
請求項13に記載の方法。
【請求項１５】
前記塗装工程が、以下の化学的に敏感な添加物で表面を塗装する工程を有し、
前記以下の化学的に敏感な添加物とは、蛍光分子及び粒子、ゼオライトケージ内部の半導体クラスタ、電気活性な酸化還元対、導電性ポリマーのネットワーク、腐食に敏感な単一の保護コーティング、歪みに敏感な単一の保護コーティング、複屈折性を有する物質、導電性を有する物質、明確なβ崩壊を示す金属損失トレーサー、すなわちコーティングの下で移動するイオン注入されたTc-99である、
請求項13に記載の方法。
【請求項１６】
前記塗装工程が、シンチレーション物質で表面を塗装する工程を有する、請求項13に記載の方法。
【請求項１７】
前記塗装工程が、α線、β線、又はγ線によって照射されたときに、発光する結晶性色素で表面を塗装する工程を有する、請求項13に記載の方法。
【請求項１８】
前記塗装工程が、放射線に対して敏感な色素の合成及び製造を含み、
前記合成及び製造は、バルク結晶を成長させた後に不活性極低温液体中で圧延する工程、又は気相からの核化及び堆積、又は液相からの核化及び堆積のうちの少なくとも1つを含む、
請求項13に記載の方法。
【請求項１９】
前記塗装工程が、サーファクタント又は超音波による分解又は気体散布若しくは羽根車を用いた混合を用いたブラシ又は溶射により、塗布用の塗装溶液中に色素を一定かつ均一に分散させる工程を有する、請求項13に記載の方法。
【請求項２０】
前記塗装工程が、シンチレーション、熱ルミネッセンス色素、又はフォトルミネッセンス色素を有する有機の塗料又はコーティングを塗布する塗布工程を有し、
前記塗布工程は、ブラシによる塗布、溶射、浸漬、電気泳動による塗布、又は電気化学による塗布を含む、
請求項13に記載の方法。
【請求項２１】
前記塗装工程が、シンチレーション、熱ルミネッセンス色素、又はフォトルミネッセンス色素を有する無機の膜又はコーティングを堆積する堆積工程を有し、
前記堆積工程は、蒸着若しくはマグネトロンスパッタリングを含む物理気相成長、又は化学気相成長、又は電気化学成長、又は高速ガス流中に懸濁された低温溶射粒子、又はフレーム溶射、プラズマ溶射、ワイヤアーク、高速酸素燃料、若しくは爆発溶射を含む高温溶射、を有する、
請求項13に記載の方法。
【請求項２２】
前記塗装工程が、pH、塩化物、溶融金属カチオン、電気化学電位、酸化状態、応力及び歪みに基づいた、腐食及び外界の影響によるクラックに対して敏感な無機の膜又はコーティングを堆積する堆積工程を有し、
前記堆積工程は、蒸着若しくはマグネトロンスパッタリングを含む物理気相成長、又は化学気相成長、又は電気化学成長、又は高速ガス流中に懸濁された低温溶射粒子、又はフレーム溶射、プラズマ溶射、ワイヤアーク、高速酸素燃料、若しくは爆発溶射を含む高温溶射、を有する、
請求項13に記載の方法。
【請求項２３】
前記塗装工程が、化学兵器に対して敏感な物質を無機コーティングとして堆積する堆積工程を有し、
前記堆積工程を行う処理には、蒸着若しくはマグネトロンスパッタリングを含む物理気相成長、又は化学気相成長、又は電気化学成長、又は高速ガス流中に懸濁された低温溶射粒子、又はフレーム溶射、プラズマ溶射、ワイヤアーク、高速酸素燃料、若しくは爆発溶射を含む高温溶射、が含まれ、
前記物質には、前記化学兵器と反応することでpH変化を引き起こす試薬が浸透し、
前記pH変化は、比色分析及びレシオメトリック蛍光示唆物質によって検出可能である、
請求項13に記載の方法。
【請求項２４】
前記塗装工程が、化学兵器に対して敏感な物質を無機コーティングとして堆積する堆積工程を有し、
前記堆積工程を行う処理には、蒸着若しくはマグネトロンスパッタリングを含む物理気相成長、又は化学気相成長、又は電気化学成長、又は高速ガス流中に懸濁された低温溶射粒子、又はフレーム溶射、プラズマ溶射、ワイヤアーク、高速酸素燃料、若しくは爆発溶射を含む高温溶射、が含まれ、
前記物質が反応することで、酸化状態、電気化学電位、又は他のコーティング特性の検出可能な変化を起こす、
請求項13に記載の方法。
【請求項２５】
前記塗装工程が、pH感受性を有する塗料又はコーティングによって表面を塗装する工程を有し、
前記pH感受性を有する塗料又はコーティングは、比色分析に用いられる示唆物質の機能、レシオメトリック蛍光示唆物質の機能、及びpH電極の機能、が与えられる、
請求項13に記載の方法。
【請求項２６】
前記塗装工程が、α線、β線、又はγ線を含む様々な種類の放射線を同時に検出するため、多種類の色素又は添加物を有する多機能塗料又はコーティングで表面を塗装する工程を有する、請求項13に記載の方法。
【請求項２７】
前記塗装工程が、様々な種類の化学物質を同時に検出するため、多種類の色素又は添加物を有する多機能塗料又はコーティングで表面を塗装する工程を有する、請求項13に記載の方法。
【請求項２８】
前記塗装工程が、全体的な腐食、局所的な腐食、応力腐食割れ、又は水素誘起割れを含む様々な形態の腐食を同時に検出するため、多種類の色素又は添加物を有する多機能塗料又はコーティングで表面を塗装する工程を有する、請求項13に記載の方法。
【請求項２９】
前記塗装工程が、放射性物質、化学物質、又は腐食を同時に検出するため、多種類の色素又は添加物を有する多機能塗料又はコーティングで表面を塗装する工程を有する、請求項13に記載の方法。
【請求項３０】
前記塗装工程が、病原菌兵器及び生物兵器を検出する官能化した有孔性色素を用いる工程を有する、請求項13に記載の方法。
【請求項３１】
前記塗装工程が、検出されたα粒子、β粒子、又はγ線をエネルギーで区別するように設計されたシンチレーション色素、熱ルミネッセント色素、又はフォトルミネッセント色素を用いる工程を有し、
前記熱ルミネッセント色素は、走査型電子顕微鏡で観察可能な固有の元素組成を有し、かつ固有の発光波長を有する多種類の熱ルミネッセント色素を含み、あるいは、
色素は保護物質によってコーティングされて良く、
各異なる色素は、各異なるコーティング厚さを有し、
前記の各異なる厚さを有するコーティングは、前記のコーティングされた色素粒子にエネルギー識別特性を与える、
請求項13に記載の方法。
【請求項３２】
塗料チップ試料を取り出し、有機マトリックス及び保護コーティングを溶解させる工程を有する方法であって、
加熱によって、各色素粒子は、固有波長において光子パルスを放出し、かつ
固有波長において検出された光子パルスは放射線エネルギーの特定の帯域を表す、
請求項13に記載の方法。
【請求項３３】
誘導コーティングをシンチレーション色素で検査する工程を有する方法であって、
前記工程には、埋め込まれたファイバ光学系、埋め込まれたフォトダイオード、増幅器及びパルス計測電子機器を有するPMTを含む独立した光学系、又は露光が経時変化するデジタルCCDアレイカメラが含まれる、
請求項13に記載の方法。
【請求項３４】
集積コーティングを熱ルミネッセント色素で検査する工程を有する方法であって、
前記工程には、レーザーパルス、局所フィラメント、又は局所マイクロ波による加熱の後増幅器及びパルス計測電子機器と結合するPMT、デジタルCCDアレイカメラ、又は他のそのような装置によって検出を行う工程が含まれる、
請求項13に記載の方法。